(57)【要約】【課題】  複数のシャーシ部ごとにおける鍵の位置ずれを防いで、複数のシャーシ部を簡単に且つ容易に連結することができる鍵盤シャーシを提供する。【解決手段】  複数のシャーシ部３０にくり抜き部３４、３６、３８によって複数の第１〜第３の各弾性変形部３１〜３３を設け、この第１弾性変形部３１に第１位置決め突起部３５を有する鍵支持部１３をそれぞれ設け、第２弾性変形部３２に第２位置決め突起部３７を有する鍵ガイド部７をそれぞれ設け、第３弾性変形部３３には第３位置決め突起部３９を有するハンマー支持部９をそれぞれ設け、第１〜第３の各位置規制孔４１〜４３を有する連結部４０によって第１〜第３の各位置決め突起部３５、３７、３９を弾力的に位置調整して位置決めすることにより、複数のシャーシ部３０を鍵２の配列方向に沿って順次連結した。【選択図】        図４
2010197635.tif 000002
【特許請求の範囲】
【請求項１】
複数の鍵を上下方向に回動可能に支持して配列するために複数に分割された複数のシャーシ部と、
前記複数の鍵をそれぞれ回動可能に支持するために、前記複数のシャーシ部における複数箇所にそれぞれくり抜き部によって前記シャーシ部の面方向に弾性変形可能に設けられた複数の第１弾性変形部と、
この複数の第１弾性変形部にそれぞれ設けられ、且つ第１位置決め部をそれぞれ有して前記複数の鍵を上下方向に回動可能に支持する複数の鍵支持部と、
前記複数の鍵をそれぞれ上下方向にガイドするために、前記複数のシャーシ部における複数箇所にそれぞれくり抜き部によって前記シャーシ部の面方向に弾性変形可能に設けられた複数の第２弾性変形部と、
この複数の第２弾性変形部にそれぞれ設けられ、且つ第２位置決め部をそれぞれ有して前記複数の鍵をそれぞれ上下方向にガイドする鍵ガイド部と、
前記第１位置決め部を位置決めするための第１位置規制部および前記第２位置決め部を位置決めするための第２位置規制部を有し、前記複数のシャーシ部を前記複数の鍵の配列方向に沿って連結する連結手段と
を備えていることを特徴とする鍵盤シャーシ。
【請求項２】
前記連結手段は、前記複数のシャーシ部の互いに隣接する一方の端部に設けられて前記複数のシャーシ部を順次連接するための連結部を有し、この連結部に前記第１、第２の各位置規制部が設けられ、前記第１位置規制部によってこれに隣接する前記シャーシ部の端部に位置する前記鍵支持部の前記第１位置決め部を位置決めすると共に、前記第２位置規制部によってこれに隣接する前記シャーシ部の端部に位置する前記鍵ガイド部の前記第２位置決め部を位置決めして、隣接する前記シャーシ部同士を連結することを特徴とする請求項１に記載の鍵盤シャーシ。
【請求項３】
前記連結手段は、前記複数の鍵支持部に対応した状態で前記複数のシャーシ部に亘って連続する第１連結部材と、前記複数の鍵ガイド部に対応した状態で前記複数のシャーシ部に亘って連続する第２連結部材とを有し、前記第１連結部材に前記複数の第１位置規制部が設けられ、前記第２連結部材に前記複数の第２位置規制部が設けられ、前記複数の第１位置規制部によって前記複数のシャーシ部に設けられた全ての前記第１位置決め部を位置決めすると共に、前記複数の第２位置規制部によって前記複数のシャーシ部に設けられた全ての前記第２位置決め部を位置決めして、前記複数のシャーシ部を順次連結することを特徴とする請求項１に記載の鍵盤シャーシ。
【請求項４】
前記連結手段は、前記複数のシャーシ部に亘って連続する１つの連結部材を有し、この１つの連結部材に前記複数の第１位置規制部および前記複数の第２位置規制部が設けられ、前記複数の第１位置規制部によって前記複数のシャーシ部に設けられた全ての前記第１位置決め部を位置決めすると共に、前記複数の第２位置規制部によって前記複数のシャーシ部に設けられた全ての前記第２位置決め部を位置決めして、前記複数のシャーシ部を順次連結することを特徴とする請求項１に記載の鍵盤シャーシ。
【請求項５】
前記複数のシャーシ部は、前記複数の第１弾性変形部、前記複数の鍵支持部、および前記複数の第１位置決め部に対応して連続する鍵支持ユニット部と、前記複数の第２弾性変形部、前記複数の鍵ガイド部、および前記複数の第２位置決め部に対応して連続する鍵ガイドユニット部とに分割されていることを特徴とする請求項４に記載の鍵盤シャーシ。
【請求項６】
前記複数の鍵の押鍵操作に応じて前記複数の鍵それぞれにアクション荷重を付与する複数のハンマー部材を上下方向に回動可能に支持するために、前記複数のシャーシ部における複数箇所にそれぞれくり抜き部によって前記シャーシ部の面方向に弾性変形可能に設けられた複数の第３弾性変形部と、
この複数の第３弾性変形部にそれぞれ設けられ、且つ第３位置決め部をそれぞれ有して前記複数のハンマー部材をそれぞれ上下方向に回動可能に支持する複数のハンマー支持部と、
前記連結手段に設けられて前記複数の第３位置決め部を位置決めするための複数の第３位置規制部と
を備えていることを特徴とする請求項１〜請求項５のいずれかに記載の鍵盤シャーシ。
【発明の詳細な説明】
【技術分野】
【０００１】
この発明は、電子ピアノなどの鍵盤楽器に用いられる鍵盤シャーシに関する。
【背景技術】
【０００２】
従来、鍵盤楽器の鍵盤シャーシにおいては、特許文献１に記載されているように、複数に分割されて複数の鍵を回動可能に支持して配列する複数のシャーシ部と、この複数のシャーシ部を鍵の配列方向に沿って順次連結するための連結部材とを備え、複数のシャーシ部に設けられた複数のボスを連結部材にビスによって取り付けることにより、複数のシャーシ部を鍵の配列方向に沿って順次連結するように構成したものが知られている。
【先行技術文献】
【特許文献】
【０００３】
【特許文献１】特開平１１−３１６５８１号公報
【発明の概要】
【発明が解決しようとする課題】
【０００４】
しかしながら、このような従来の鍵盤シャーシでは、複数のシャーシ部を連結部材で順次連結する際に、複数のシャーシ部に設けられたボスにビスによって取り付けているため、複数のシャーシ部ごとに鍵が位置ずれを起こした場合、ビスを緩めて連結部材に対する各シャーシ部の取付位置を調整して位置合わせした後、再びビスを締め直す必要があり、このため鍵の位置ずれを調整する作業が煩雑で面倒であるという問題がある。
【０００５】
この発明が解決しようとする課題は、複数のシャーシ部ごとにおける鍵の位置ずれを防いで、複数のシャーシ部を簡単に且つ容易に連結することができる鍵盤シャーシを提供することである。
【課題を解決するための手段】
【０００６】
この発明は、上記課題を解決するために、次のような構成要素を備えている。
請求項１に記載の発明は、複数の鍵を上下方向に回動可能に支持して配列するために複数に分割された複数のシャーシ部と、前記複数の鍵をそれぞれ回動可能に支持するために、前記複数のシャーシ部における複数箇所にそれぞれくり抜き部によって前記シャーシ部の面方向に弾性変形可能に設けられた複数の第１弾性変形部と、この複数の第１弾性変形部にそれぞれ設けられ、且つ第１位置決め部をそれぞれ有して前記複数の鍵を上下方向に回動可能に支持する複数の鍵支持部と、前記複数の鍵をそれぞれ上下方向にガイドするために、前記複数のシャーシ部における複数箇所にそれぞれくり抜き部によって前記シャーシ部の面方向に弾性変形可能に設けられた複数の第２弾性変形部と、この複数の第２弾性変形部にそれぞれ設けられ、且つ第２位置決め部をそれぞれ有して前記複数の鍵をそれぞれ上下方向にガイドする鍵ガイド部と、前記第１位置決め部を位置決めするための第１位置規制部および前記第２位置決め部を位置決めするための第２位置規制部を有し、前記複数のシャーシ部を前記複数の鍵の配列方向に沿って連結する連結手段とを備えていることを特徴とする鍵盤シャーシである。
【０００７】
請求項２に記載の発明は、前記連結手段が、前記複数のシャーシ部の互いに隣接する一方の端部に設けられて前記複数のシャーシ部を順次連接するための連結部を有し、この連結部に前記第１、第２の各位置規制部が設けられ、前記第１位置規制部によってこれに隣接する前記シャーシ部の端部に位置する前記鍵支持部の前記第１位置決め部を位置決めすると共に、前記第２位置規制部によってこれに隣接する前記シャーシ部の端部に位置する前記鍵ガイド部の前記第２位置決め部を位置決めして、隣接する前記シャーシ部同士を連結することを特徴とする請求項１に記載の鍵盤シャーシである。
【０００８】
請求項３に記載の発明は、前記連結手段が、前記複数の鍵支持部に対応した状態で前記複数のシャーシ部に亘って連続する第１連結部材と、前記複数の鍵ガイド部に対応した状態で前記複数のシャーシ部に亘って連続する第２連結部材とを有し、前記第１連結部材に前記複数の第１位置規制部が設けられ、前記第２連結部材に前記複数の第２位置規制部が設けられ、前記複数の第１位置規制部によって前記複数のシャーシ部に設けられた全ての前記第１位置決め部を位置決めすると共に、前記複数の第２位置規制部によって前記複数のシャーシ部に設けられた全ての前記第２位置決め部を位置決めして、前記複数のシャーシ部を順次連結することを特徴とする請求項１に記載の鍵盤シャーシである。
【０００９】
請求項４に記載の発明は、前記連結手段が、前記複数のシャーシ部に亘って連続する１つの連結部材を有し、この１つの連結部材に前記複数の第１位置規制部および前記複数の第２位置規制部が設けられ、前記複数の第１位置規制部によって前記複数のシャーシ部に設けられた全ての前記第１位置決め部を位置決めすると共に、前記複数の第２位置規制部によって前記複数のシャーシ部に設けられた全ての前記第２位置決め部を位置決めして、前記複数のシャーシ部を順次連結することを特徴とする請求項１に記載の鍵盤シャーシである。
【００１０】
請求項５に記載の発明は、前記複数のシャーシ部が、前記複数の第１弾性変形部、前記複数の鍵支持部、および前記複数の第１位置決め部に対応して連続する鍵支持ユニット部と、前記複数の第２弾性変形部、前記複数の鍵ガイド部、および前記複数の第２位置決め部に対応して連続する鍵ガイドユニット部とに分割されていることを特徴とする請求項４に記載の鍵盤シャーシである。
【００１１】
請求項６に記載の発明は、前記複数の鍵の押鍵操作に応じて前記複数の鍵それぞれにアクション荷重を付与する複数のハンマー部材を上下方向に回動可能に支持するために、前記複数のシャーシ部における複数箇所にそれぞれくり抜き部によって前記シャーシ部の面方向に弾性変形可能に設けられた複数の第３弾性変形部と、この複数の第３弾性変形部にそれぞれ設けられ、且つ第３位置決め部をそれぞれ有して前記複数のハンマー部材をそれぞれ上下方向に回動可能に支持する複数のハンマー支持部と、前記連結手段に設けられて前記複数の第３位置決め部を位置決めするための複数の第３位置規制部と、を備えていることを特徴とする請求項１〜請求項５のいずれかに記載の鍵盤シャーシである。
【発明の効果】
【００１２】
この発明によれば、複数のシャーシ部を連結手段によって鍵の配列方向に沿って順次連結する際に、複数のシャーシ部に第１、第２の各弾性変形部を介してそれぞれ設けられた鍵支持部の第１位置決め部および鍵ガイド部の第２位置決め部を、それぞれ連結手段の第１、第２の各位置規制部によって弾力的に位置調整して位置決めすることができる。
【００１３】
このため、複数のシャーシ部ごとに複数の鍵支持部および複数の鍵ガイド部が位置ずれしていても、その位置ずれを第１、第２の各弾性変形部がシャーシ部の面方向に弾性変形することによって自動的に調整することができるので、複数のシャーシ部ごとにおける複数の鍵の位置ずれを防いで、全ての鍵を均一に揃えることができると共に、複数のシャーシ部を簡単に且つ容易に連結することができる。
【図面の簡単な説明】
【００１４】
【図１】この発明を鍵盤装置に適用した実施形態１において鍵の配列状態を示した要部の平面図である。
【図２】図１のＡ−Ａ矢視における拡大断面図である。
【図３】図２の鍵盤シャーシのみを示した拡大断面図である。
【図４】図３の鍵盤シャーシを複数のシャーシ部に分解した状態を概略的に示した要部の拡大平面図である。
【図５】図４における鍵支持部の付近を示した拡大平面図である。
【図６】図５の鍵支持部の各断面を示し、（ａ）はそのＢ−Ｂ矢視における拡大断面図、（ｂ）はそのＣ−Ｃ矢視における拡大断面図である。
【図７】図４における鍵ガイド部の付近を示した拡大平面図である。
【図８】図７の鍵ガイド部の各断面を示し、（ａ）はそのＤ−Ｄ矢視における拡大断面図、（ｂ）はそのＥ−Ｅ矢視における拡大断面図、（ｃ）はそのＦ−Ｆ矢視における拡大断面図である。
【図９】図４におけるハンマー支持部の付近を示した拡大平面図である。
【図１０】図９のハンマー支持部の各断面を示し、（ａ）はそのＧ−Ｇ矢視における拡大断面図、（ｂ）はそのＨ−Ｈ矢視における拡大断面図である。
【図１１】この発明を鍵盤装置に適用した実施形態２において鍵盤シャーシを複数のシャーシ部に分解した状態を概略的に示した要部の拡大平面図である。
【図１２】図１１の複数のシャーシ部を連結するための第１〜第３の各連結部材を示した平面図である。
【図１３】図１２の連結部材の変形例を示した平面図である。
【図１４】この発明を鍵盤装置に適用した実施形態３において鍵盤シャーシを複数のシャーシ部に分解した状態を概略的に示した要部の拡大平面図である。
【図１５】図１４における複数のシャーシ部の各ユニット部を連結するための連結部材を示した平面図である。
【発明を実施するための形態】
【００１５】
（実施形態１）
以下、図１〜図１０を参照して、この発明を鍵盤装置に適用した実施形態１について説明する。
この鍵盤装置は、図１〜図３に示すように、合成樹脂製の鍵盤シャーシ１と、この鍵盤シャーシ１上に上下方向に回動可能に配置された複数の鍵（白鍵と黒鍵、ただし図２では１つの白鍵について説明する。）２と、これら複数の鍵２にそれぞれアクション荷重を付与するハンマー部材３と、各鍵２の押鍵動作に応じてそれぞれオン信号を出力するゴムスイッチ４とを備えている。
【００１６】
鍵盤シャーシ１は、図２および図３に示すように、楽器本体の下部ケースの一部を構成するものであり、その前端部（図２では右端部）には、鍵２の前端面に対応する前カバー部５が前部上方（図２では右側上方）に突出して形成されている。この前カバー部５の後部（図２では左側部）には、前脚部６が底部から上方に突出して形成されている。この前脚部６の上部には、鍵２の横振れを防ぐための鍵ガイド部７が設けられている。
【００１７】
また、前脚部６の後部側（図２では左側部）には、図２および図３に示すように、ハンマー載置部８が前カバー部５の高さに対して十分に低い高さで形成されている。このハンマー載置部８の上部には、ハンマー部材３を支持するためのハンマー支持部９が上方に突出して設けられている。このハンマー支持部９には、ハンマー部材３を上下方向に回動可能に支持する支持軸９ａが設けられている。
【００１８】
また、鍵盤シャーシ１の中間部、つまりハンマー鍵載置部８の後部側には、図２および図３に示すように、基板載置部１０が前カバー部５の高さよりも少し低い高さで形成されている。この基板載置部１０の上面には、ゴムスイッチ４を搭載するためのスイッチ基板１１が取り付けられている。さらに、鍵盤シャーシ１の後部、つまり基板載置部１０の後部側には、鍵載置部１２が前カバー部５とほぼ同じ高さで形成されている。
【００１９】
この鍵載置部１２の上面には、図２および図３に示すように、鍵支持部１３が形成されている。この鍵支持部１３には、鍵２の後端部を上下方向に回動可能に支持する支持軸１３ａが設けられている。この場合、鍵載置部１２の前端下部には、立上り部１４が形成されており、この立上り部１４には、後述するハンマー部材３が上下方向に移動自在に挿入するハンマー挿入用の開口部１４ａが形成されている。また、鍵載置部１２の後端部には、鍵盤シャーシ１の後端部を支持する後脚部１５が垂下されている。
【００２０】
一方、鍵２は、図２に示すように、その後端部（図２では左端部）が鍵盤シャーシ１の鍵載置部１２上に設けられた鍵支持部１３の支持軸１３ａに上下方向に回動可能に支持されている。この鍵２の中間部には、鍵盤シャーシ１の基板載置部１０上に取り付けられたスイッチ基板１１のゴムスイッチ４を押圧するためのスイッチ押圧部１６が下側に突出して形成されている。
【００２１】
この場合、ゴムスイッチ４は、図２に示すように、スイッチ基板１１上に配置されたゴムシートを備え、このゴムシートにドーム状の膨出部が鍵２のスイッチ押圧部１６に対応して形成され、この膨出部がスイッチ押圧部１６によって押圧された際に、膨出部が弾性変形して、その内部の可動接点がスイッチ基板１１の固定接点に接触することにより、オン信号を出力するように構成されている。
【００２２】
また、鍵２のスイッチ押圧部１６の前側（図１では右側）に位置する鍵２の箇所には、図２に示すように、ハンマー保持部１７が鍵２の下側に向けて突出して形成されている。このハンマー保持部１７は、後述するハンマー部材３の前端部に位置する鍵当接摺動部２３が挿入する縦長の長方形のガイド枠１８が設けられている。このガイド枠１８は、図２に示すように、ハンマー部材３の鍵当接摺動部２３が挿入して押鍵操作に応じて摺動可能に保持するように構成されている。
【００２３】
ハンマー部材３は、図２に示すように、ハンマー本体２０と、このハンマー本体２０の後部（図２では左側部）に設けられた錘部２１と、ハンマー本体２０の前側下部（図２では右側下部）に設けられてハンマー本体２０の回動中心となる合成樹脂製の回動支持部２２と、ハンマー本体２０の前端部(図２では右端部)に設けられた鍵当接摺動部２３とを備えている。
【００２４】
このハンマー部材３は、図２に示すように、ハンマー本体２０の回動支持部２２が鍵盤シャーシ１のハンマー載置部８上に設けられたハンマー支持部９の支持軸９ａに回動可能に取り付けられると共に、ハンマー本体２０の前端部に設けられた鍵当接摺動部２３が鍵２のハンマー保持部１７に形成されたガイド枠１８内に摺動可能に挿入されることにより、ハンマー本体２０がハンマー支持部９の支持軸９ａを中心に上下方向に回動するように構成されている。
【００２５】
これにより、ハンマー部材３は、図２に示すように、鍵２が上方から押鍵されると、鍵２のハンマー保持部１７によってハンマー本体２０の鍵当接摺動部２３が錘部２１の重量に抗して押し下げられ、これに伴ってハンマー本体２０がハンマー支持部９の支持軸９ａを中心に時計回りに回動することにより、鍵２にアクション荷重を付与し、ハンマー本体２０の後部が鍵盤シャーシ１の鍵載置部１２の下面に設けられたフェルトなどの上限ストッパ２４に当接して、上限位置が規制されるように構成されている。
【００２６】
また、このハンマー部材３は、図２に示すように、鍵２が押鍵されない初期状態、または鍵２が押鍵されて上限ストッパ２４に当接した後に、初期位置に復帰した際に、ハンマー本体２０が錘部２１の重量によって図２において反時計回りに回動して、鍵盤シャーシ１の後部下面に設けられたフェルトなどの下限ストッパ２５に当接することにより、下限位置が規制されて、鍵当接摺動部２３が鍵２を押上げて初期位置に配置するように構成されている。
【００２７】
次に、このような鍵盤装置の鍵盤シャーシ１について更に詳しく説明する。
この鍵盤シャーシ１は、図４に示すように、鍵２の配列方向に沿って複数のシャーシ部３０に分割されて形成されている。すなわち、この鍵盤シャーシ１は、１つのシャーシ部３０が例えば１オクターブ分の鍵２を配列する大きさに形成され、この１つのシャーシ部３０を複数連結することにより、数オクターブの鍵２を配置するように構成されている。
【００２８】
この場合、複数のシャーシ部３０には、図４に示すように、複数の鍵支持部１３を設けるための複数の第１弾性変形部３１、複数の鍵ガイド部７を設けるための複数の第２弾性変形部３２、および複数のハンマー支持部９を設けるための複数の第３弾性変形部３３がそれぞれ設けられている。複数の第１弾性変形部３１は、図４〜図６に示すように、複数の鍵支持部１３にそれぞれ対応するシャーシ部３０の複数箇所に、それぞれくり抜き部３４(図４および図５に斜線で示す部分)を設けることにより、シャーシ部３０の面方向に弾性変形するように形成されている。
【００２９】
すなわち、第１弾性変形部３１のくり抜き部３４は、図５に斜線で示すように、鍵支持部１３の上辺部側を囲う上側くり抜き部３４ａと、鍵支持部１３の下辺部側を囲う下側くり抜き部３４ｂと、鍵支持部１３の左右両側を囲う側辺くり抜き部３４ｃとを有し、この上側くり抜き部３４ａ、下側くり抜き部３４ｂ、および側辺くり抜き部３４ｃによって鍵支持部１３の周囲を囲むように形成されている。これにより、第１弾性変形部３１は、くり抜き部３４によってシャーシ部３０の面方向、つまり前後左右の各方向に弾性変形するように構成されている。
【００３０】
この第１弾性変形部３１の上辺側における中間部には、図５および図６に示すように、鍵支持部１３が上方に突出して形成されている。これにより、鍵支持部１３は、第１弾性変形部３１によってシャーシ部３０の面方向に弾性的に変位するように構成されている。この鍵支持部１３には、図５および図６に示すように、支持軸１３ａが左右両側に突出して設けられている。また、この鍵支持部１３の下面には、図６（ａ）および図６（ｂ）に示すように、第１位置決め突起部３５が下側に突出して設けられている。
【００３１】
一方、複数の第２弾性変形部３２は、図４、図７、図８に示すように、複数の鍵ガイド部７にそれぞれ対応するシャーシ部３０の複数箇所に、それぞれくり抜き部３６（図４および図７に斜線で示す部分）を設けることにより、シャーシ部３０の面方向に弾性変形するように形成されている。この第２弾性変形部３２のくり抜き部３６は、図７に斜線で示すように、鍵ガイド部７の上辺部側を囲う上側くり抜き部３６ａと、鍵ガイド部７の下辺部側を囲う下側くり抜き部３６ｂと、鍵ガイド部７の左右両側を囲う側辺くり抜き部３６ｃとを有し、上側くり抜き部３６ａ、下側くり抜き部３６ｂ、および側辺くり抜き部３６ｃによって鍵ガイド部７の周囲を囲むように形成されている。
【００３２】
これにより、第２弾性変形部３２は、くり抜き部３６によってシャーシ部３０の面方向、つまり前後左右の各方向に弾性変形するように構成されている。この第２弾性変形部３２の下辺部側には、図７および図８（ｂ）に示すように、鍵ガイド部７が上方に突出して形成されている。これにより、鍵ガイド部７は、第２弾性変形部３２によってシャーシ部３０の面方向に弾性的に変位するように構成されている。この鍵ガイド部７が設けられた第２弾性変形部３２の中間部における下面には、図８（ａ）〜図８（ｃ）に示すように、２本の第２位置決め突起部３７が下側に突出した状態で前後に設けられている。
【００３３】
また、複数の第３弾性変形部３３は、図４、図９、図１０に示すように、複数のハンマー支持部９にそれぞれ対応するシャーシ部３０の複数箇所に、それぞれくり抜き部３８（図４および図９に斜線で示す部分）を設けることにより、シャーシ部３０の面方向に弾性変形するように形成されている。この第３弾性変形部３３のくり抜き部３８は、図９に斜線で示すように、ハンマー支持部９の上辺部側を囲う上側くり抜き部３８ａと、ハンマー支持部９の下辺部側を囲う下側くり抜き部３８ｂと、ハンマー支持部９の左右両側を囲う側辺くり抜き部３８ｃとを有し、上側くり抜き部３８ａ、下側くり抜き部３８ｂ、および側辺くり抜き部３８ｃによってハンマー支持部９の周囲を囲むように形成されている。
【００３４】
これにより、第３弾性変形部３３は、くり抜き部３８によってシャーシ部３０の面方向、つまり前後左右の各方向に弾性変形するように構成されている。この第３弾性変形部３３の下辺側における中間部には、図９および図１０に示すように、ハンマー支持部９が上方に突出して形成されている。これにより、ハンマー支持部９は、第３弾性変形部３３によってシャーシ部３０の面方向に弾性的に変位するように構成されている。このハンマー支持部９には、図１０（ａ）および図１０（ｂ）に示すように、支持軸９ａが左右両側に突出して設けられており、このハンマー支持部９の下面には、第３位置決め突起部３９が下側に突出して設けられている。
【００３５】
ところで、複数のシャーシ部３０には、図４に示すように、互いに隣接するシャーシ部３０同士を順次連接するための連結部４０がそれぞれ設けられている。この連結部４０は、シャーシ部３０の一端部（図４では左端部）３０ａに平板状に突出して設けられている。この場合、連結部４０は、その厚みがシャーシ部３０よりも少し薄く形成されており、その上辺部と下辺部との間の長さは、シャーシ部３０の前後方向（図４では上下方向）の長さよりも少し短く形成されている。これにより、連結部４０は、これに隣接するシャーシ部３０の他端部（図４では右端部）３０ｂ側が重なった際に、そのシャーシ部３０の他端部３０ｂ側によって隠れるように構成されている。
【００３６】
また、この連結部４０には、図４に示すように、鍵支持部１３に設けられた第１位置決め突起部３５が挿入することにより、第１位置決め突起部３５を位置決めするための第１位置規制孔４１と、鍵ガイド部７に設けられた第２位置決め突起部３７が挿入することにより、第２位置決め突起部３７を位置決めするための第２位置規制孔４２と、ハンマー支持部９に設けられた第３位置決め突起部３９が挿入することにより、第３位置決め突起部３９を位置決めするための第３位置規制孔４３とが設けられている。
【００３７】
これにより、連結部４０は、その第１位置規制孔４１によって、これに隣接するシャーシ部３０の他端部３０ｂ側に位置する鍵支持部１３の第１位置決め突起部３５を位置決めし、第２位置規制孔４２によって、これに隣接するシャーシ部３０の他端部３０ｂ側に位置する鍵ガイド部７の第２位置決め突起部３７を位置決めし、第３位置規制孔４３によって、これに隣接するシャーシ部３０の他端部３０ｂ側に位置するハンマー支持部９の第３位置決め突起部３９を位置決めすることにより、互いに隣接するシャーシ部３０同士を連結するように構成されている。
【００３８】
この場合、第１〜第３の各位置規制孔４１〜４３は、連結部４０におけるシャーシ部３０の一端部３０ａから所定長さ（Ｌ１）だけ離れた位置に設けられている。一方、この連結部４０に対応する隣のシャーシ部３０の他端部３０ｂ側に設けられた鍵支持部１３の第１位置決め突起部３５、鍵ガイド部７の第２位置決め突起部３７、およびハンマー支持部９の第３位置決め突起部３９は、そのシャーシ部３０の他端部３０ｂから所定長さ（Ｌ２）だけ離れた位置に設けられている。
【００３９】
すなわち、連結部４０に設けられたシャーシ部３０の一端部３０ａから第１〜第３の各位置規制孔４１〜４３までの長さ（Ｌ１）は、これに対応する隣のシャーシ部３０の他端部３０ｂから第１〜第３の各位置決め突起部３５、３７、３９までの長さ（Ｌ２）よりも少し長く（Ｌ１＞Ｌ２）形成されている。これにより、互いに隣接するシャーシ部３０は、連結部４０によって隣接するシャーシ部３０同士を連結する際に、連結部４０が設けられたシャーシ部３０の一端部３０ａと、これに隣接するシャーシ部３０の他端部３０ｂとが互いに重なり合わずに、僅かな隙間をもって連結されるように構成されている。
【００４０】
次に、このような複数のシャーシ部３０を連結する場合について説明する。
この場合には、図４に示すように、シャーシ部３０の一端部（図４では左端部）３０ａに設けられた連結部４０に、これに隣接するシャーシ部３０の他端部（図４では右端部）３０ｂ側を重ね、この状態で連結部４０の第１〜第３の各位置規制孔４１〜４３に、これに隣接するシャーシ部３０の他端部３０ｂ側に位置する鍵支持部１３の第１位置決め突起部３５、鍵ガイド部７の第２位置決め突起部３７、およびハンマー支持部９の第３位置決め突起部３９をそれぞれ挿入する。
【００４１】
このときに、連結部４０の第１〜第３の各位置規制孔４１〜４３と、これに隣接するシャーシ部３０の第１〜第３の各位置決め突起部３５、３７、３９とが、それぞれ位置ずれしていても、第１〜第３の各弾性変形部３１〜３３がそれぞれ弾性変形することにより、第１〜第３の各位置規制孔４１〜４３に対する第１〜第３の各位置決め突起部３５、３７、３９の位置ずれがそれぞれ調整され、これにより鍵支持部１３、鍵ガイド部７、およびハンマー支持部９の各位置が自動的に調整される。
【００４２】
すなわち、連結部４０の第１位置規制孔４１に、これに隣接するシャーシ部３０の鍵支持部１３に設けられた第１位置決め突起部３５が挿入する際に、鍵支持部１３の第１位置決め突起部３５と連結部４０の第１位置規制孔４１との位置がずれていても、鍵支持部１３および第１位置決め突起部３５がシャーシ部３０の第１弾性変形部３１に設けられていることにより、第１位置決め突起部３５を第１位置規制孔４１に挿入させると、第１弾性変形部３１がシャーシ部３０の面方向に弾性変形して、第１位置規制孔４１に対する第１位置決め突起部３５の位置ずれを自動的に調整し、これに伴って鍵支持部１３の位置ずれが調整される。
【００４３】
また、連結部４０の第２位置規制孔４２に、これに隣接するシャーシ部３０の鍵ガイド部７に設けられた第２位置決め突起部３７が挿入する際に、鍵ガイド部７の第２位置決め突起部３７と連結部４０の第２位置規制孔４２との位置がずれていても、鍵ガイド部７および第２位置決め突起部３７がシャーシ部３０の第２弾性変形部３２に設けられていることにより、第２位置決め突起部３７を第２位置規制孔４２に挿入させると、第２弾性変形部３２がシャーシ部３０の面方向に弾性変形して、第２位置規制孔４２に対する第２位置決め突起部３７の位置ずれを自動的に調整し、これに伴って鍵ガイド部７の位置ずれが調整される。
【００４４】
同様に、連結部４０の第３位置規制孔４３に、これに隣接するシャーシ部３０のハンマー支持部９に設けられた第３位置決め突起部３９が挿入する際に、ハンマー支持部９の第３位置決め突起部３９と連結部４０の第３位置規制孔４３との位置がずれていても、ハンマー支持部９および第３位置決め突起部３９がシャーシ部３０の第３弾性変形部３３に設けられていることにより、第３位置決め突起部３９を第３位置規制孔４３に挿入させると、第３弾性変形部３３がシャーシ部３０の面方向に弾性変形して、第３位置規制孔４３に対する第３位置決め突起部３９の位置ずれを自動的に調整し、これに伴ってハンマー支持部９の位置ずれが調整される。
【００４５】
このため、連結部４０の第１〜第３の各位置規制孔４１〜４３と、これに隣接するシャーシ部３０の第１〜第３の各位置決め突起部３５、３７、３９とが、それぞれ位置ずれしていても、第１〜第３の各位置規制孔４１〜４３に第１〜第３の各位置決め突起部３５、３７、３９をそれぞれ挿入させることにより、第１〜第３の各位置規制孔４１〜４３に対する第１〜第３の各位置決め突起部３５、３７、３９の位置ずれ、および鍵支持部１３、鍵ガイド部７、ハンマー支持部９の各位置ずれをそれぞれ自動的に調整することができ、これにより複数のシャーシ部３０にそれぞれ複数の鍵２を全て均一に揃えて配列させることができる。
【００４６】
このように、この鍵盤シャーシ１によれば、複数のシャーシ部３０を連結部４０によって順次連結する際に、複数のシャーシ部３０に第１〜第３の各弾性変形部３１〜３３を介してそれぞれ設けられた鍵支持部１３の第１位置決め突起部３５、鍵ガイド部７の第２位置決め突起部３７、およびハンマー支持部９の第３位置決め突起部３９を、それぞれ連結部４０の第１〜第３の各位置規制孔４１〜４３によって弾力的に変位させて位置調整することにより位置決めすることができる。
【００４７】
このため、仮に複数のシャーシ部３０ごとに各鍵支持部１３、各鍵ガイド部７、および各ハンマー支持部９が位置ずれしていても、第１〜第３の各位置決め突起部３５、３７、３９が第１〜第３の各位置規制孔４１〜４３に挿入された際に、第１〜第３の各弾性変形部３１〜３３がシャーシ部３０の面方向にそれぞれ弾性変形することによって、その位置ずれを自動的に調整することができるので、複数のシャーシ部３０ごとにおける各鍵２の位置ずれ、およびハンマー部材３の位置ずれを防ぐことができ、これにより複数のシャーシ部３０にそれぞれ複数の鍵２を全て均一に揃えて配列させることができると共に、複数のシャーシ部３０を簡単に且つ容易に連結することができる。
【００４８】
(実施形態２)
次に、図１１および図１２を参照して、この発明を鍵盤装置に適用した実施形態２について説明する。なお、図１〜図１０に示された実施形態１と同一部分には同一符号を付して説明する。
この鍵盤装置は、図１１および図１２に示すように、鍵盤シャーシ１を構成する複数のシャーシ部５０を第１〜第３の各連結部材５１〜５３によって順次連結する構成であり、これ以外は実施形態１とほぼ同じ構成になっている。
【００４９】
この場合、複数のシャーシ部５０には、図１１に示すように、複数の鍵支持部１３を設けるための複数の第１弾性変形部３１、複数の鍵ガイド部７を設けるための複数の第２弾性変形部３２、および複数のハンマー支持部９を設けるための複数の第３弾性変形部３３がそれぞれ実施形態１と同様に設けられている。
【００５０】
この場合にも、第１弾性変形部３１には、図１１に示すように、鍵支持部１３が設けられており、この鍵支持部１３の下面には、第１位置決め突起部３５が設けられている。また、第２弾性変形部３２には、鍵ガイド部７が設けられており、この鍵ガイド部７の下面には、第２位置決め突起部３７が設けられている。同様に、第３弾性変形部３３には、ハンマー支持部９が設けられており、このハンマー支持部９の下面には、第３位置決め突起部３９が設けられている。
【００５１】
一方、複数のシャーシ部５０を連結する第１〜第３の各連結部材５１〜５３のうち、第１連結部材５１は、図１１および図１２に示すように、複数の鍵支持部１３に対応した状態で複数のシャーシ部５０に亘って連続する帯状のフレームであり、その所定箇所に複数の第１位置規制孔５４が複数の鍵支持部１３の各第１位置決め突起部３５に対応して設けられた構成になっている。これにより、第１連結部材５１は、複数の第１位置規制孔５４に全ての第１位置決め突起部３５が挿入することにより、全ての第１位置決め突起部３５および全ての鍵支持部１３をそれぞれ位置決めした状態で、複数のシャーシ部５０を順次連結するように構成されている。
【００５２】
第２連結部材５２は、図１１および図１２に示すように、複数の鍵ガイド部７に対応した状態で複数のシャーシ部５０に亘って連続する帯状のフレームであり、その所定箇所に複数の第２位置規制孔５５が複数の鍵ガイド部７の各第２位置決め突起部３７に対応して設けられた構成になっている。これにより、第２連結部材５２は、複数の第２位置規制孔５５に全ての第２位置決め突起部３７が挿入することにより、全ての第２位置決め突起部３７および全ての鍵ガイド部７をそれぞれ位置決めした状態で、複数のシャーシ部５０を順次連結するように構成されている。
【００５３】
同様に、第３連結部材５３は、図１１および図１２に示すように、複数のハンマー支持部９に対応した状態で複数のシャーシ部５０に亘って連続する帯状のフレームであり、その所定箇所に複数の第３位置規制孔５６が複数のハンマー支持部９の各第３位置決め突起部３９に対応して設けられた構成になっている。これにより、第３連結部材５３は、複数の第３位置規制孔５６に全ての第３位置決め突起部３９が挿入することにより、全ての第３位置決め突起部３９および全てのハンマー支持部９をそれぞれ位置決めした状態で、複数のシャーシ部５０を順次連結するように構成されている。
【００５４】
次に、このような複数のシャーシ部５０を連結する場合について説明する。
この場合には、複数のシャーシ部５０を第１〜第３の各連結部材５１〜５３上に順次配置し、この状態で第１連結部材５１によって複数のシャーシ部５０における全ての鍵支持部１３の第１位置決め突起部３５を位置決めすると共に、第２連結部材５２によって複数のシャーシ部５０における全ての鍵ガイド部７の第２位置決め突起部３７を位置決めし、且つ第３連結部材５３によって複数のシャーシ部５０における全てのハンマー支持部９の第３位置決め突起部３９を位置決めすることにより、複数のシャーシ部５０を順次連結する。
【００５５】
すなわち、第１連結部材５１に設けられた全ての第１位置規制孔５４に、複数のシャーシ部５０に設けられた全ての鍵支持部１３の各第１位置決め突起部３５を挿入させると、実施形態１と同様、第１弾性変形部３１がそれぞれシャーシ部５０の面方向に弾性変形することにより、第１位置規制孔５４に対する第１位置決め突起部３５の位置ずれがそれぞれ調整される。
【００５６】
このため、仮に鍵支持部１３の第１位置決め突起部３５と第１連結部材５１の第１位置規制孔５４との位置がずれていても、第１位置決め突起部３５を第１位置規制孔５４に挿入させることにより、第１位置規制孔５４に対する第１位置決め突起部３５および鍵支持部１３の各位置ずれが自動的に調整される。これにより、複数のシャーシ部５０が第１連結部材５１によって鍵２に配列方向に沿って順次連結される。
【００５７】
また、第２連結部材５２に設けられた全ての第２位置規制孔５５に、複数のシャーシ部５０に設けられた全ての鍵ガイド部７の各第２位置決め突起部３７を挿入させると、実施形態１と同様、第２弾性変形部３２がそれぞれシャーシ部５０の面方向に弾性変形することにより、第２位置規制孔５５に対する第２位置決め突起部３７の位置ずれがそれぞれ調整される。
【００５８】
このため、仮に鍵ガイド部７の第２位置決め突起部３７と第２連結部材５２の第２位置規制孔５５との位置がずれていても、第２位置決め突起部３７を第２位置規制孔５５に挿入させることにより、第２位置規制孔５５に対する第２位置決め突起部３７および鍵ガイド部７の各位置ずれが自動的に調整される。これにより、複数のシャーシ部５０が第２連結部材５２によって鍵２に配列方向に沿って順次連結される。
【００５９】
同様に、第３連結部材５３に設けられた全ての第３位置規制孔５６に、複数のシャーシ部５０に設けられた全てのハンマー支持部９の各第３位置決め突起部３９を挿入させると、実施形態１と同様、第３弾性変形部３３がそれぞれシャーシ部５０の面方向に弾性変形することにより、第３位置規制孔５６と第３位置決め突起部３９との位置ずれがそれぞれ調整される。
【００６０】
このため、仮にハンマー支持部９の第３位置決め突起部３９と第３連結部材５３の第３位置規制孔５６との位置がずれていても、第３位置決め突起部３９を第３位置規制孔５３に挿入させることにより、第３位置規制孔５６に対する第３位置決め突起部３９およびハンマー支持部９の各位置ずれが自動的に調整される。これにより、複数のシャーシ部５０が第３連結部材５３によって鍵２に配列方向に沿って順次連結される。
【００６１】
このように、この鍵盤装置の鍵盤シャーシによれば、複数のシャーシ部５０を第１〜第３の各連結部材５１〜５３によって順次連結する際に、複数のシャーシ部５０に第１〜第３の各弾性変形部３１〜３３を介してそれぞれ設けられた鍵支持部１３の第１位置決め突起部３５、鍵ガイド部７の第２位置決め突起部３７、およびハンマー支持部９の第３位置決め突起部３９を、第１〜第３の各連結部材５１〜５３の第１、第２の各位置規制孔５４〜５６によって弾力的に変位させて位置調整することにより位置決めすることができる。
【００６２】
このため、仮に複数のシャーシ部５０ごとに鍵支持部１３、鍵ガイド部７、ハンマー支持部９、および第１〜第３の各位置決め突起部３５、３７、３９がそれぞれ位置ずれしていても、第１〜第３の各位置決め突起部３５、３７、３９が第１〜第３の各連結部材５１〜５３における第１〜第３の各位置規制孔５４〜５６に挿入された際に、第１〜第３の各弾性変形部３１〜３３がそれぞれシャーシ部５０の面方向に弾性変形することによって、その位置ずれを自動的に調整することができる。
【００６３】
これにより、複数のシャーシ部５０ごとにおける鍵２の位置ずれ、およびハンマー部材３の位置ずれを防ぐことができ、このため複数のシャーシ部５０にそれぞれ複数の鍵２を全て均一に揃えて配列させることができると共に、第１〜第３の各連結部材５１〜５３によって複数のシャーシ部５０を簡単に且つ容易に連結することができる。
【００６４】
なお、前述した実施形態２では、複数のシャーシ部５０を第１〜第３の各連結部材５１〜５３によって順次連結するように構成した場合について述べたが、これに限らず、例えば図１３に示す変形例のように、１つの連結部材５８によって複数のシャーシ部５０を順次連結するように構成しても良い。
【００６５】
この場合には、１つの連結部材５８に、複数のボス部５８ａを鍵支持部１３、鍵ガイド部７、ハンマー支持部９ごとに異なる高さで設け、この複数のボス部５８ａに、複数のシャーシ部５０における全て鍵支持部１３の第１位置決め突起部３５を位置決めするための複数の第１位置規制孔５４、複数のシャーシ部５０における全て鍵ガイド部７の第２位置決め突起部３７を位置決めするための複数の第２位置規制孔５５、および複数のシャーシ部５０における全てハンマー支持部９の第３位置決め突起部３９を位置決めするための複数の第３位置規制孔５６を設けた構成にすれば良い。
【００６６】
このように構成された鍵盤シャーシ１においても、実施形態２と同様、仮に複数のシャーシ部５０ごとに鍵支持部１３、鍵ガイド部７、ハンマー支持部９、および第１〜第３の各位置決め突起部３５、３７、３９がそれぞれ位置ずれしていても、第１〜第３の各位置決め突起部３５、３７、３９が連結部材５８の第１〜第３の各位置規制孔５４〜５６に挿入された際に、第１〜第３の各弾性変形部３１〜３３がシャーシ部５０の面方向に弾性変形することによって、その位置ずれを自動的に調整することができる。
【００６７】
このため、複数のシャーシ部５０ごとにおける鍵２の位置ずれ、およびハンマー部材３の位置ずれを防ぐことができ、これにより複数のシャーシ部５０にそれぞれ複数の鍵２を全て均一に揃えて配列させることができると共に、１つの連結部材５８によって複数のシャーシ部５０を簡単に且つ容易に連結することができる。
【００６８】
(実施形態３)
次に、図１４および図１５を参照して、この発明を鍵盤装置に適用した実施形態３について説明する。この場合にも、図１〜図１０に示された実施形態１と同一部分に同一符号を付して説明する。
この鍵盤装置は、図１４および図１５に示すように、鍵盤シャーシ１を構成する複数のシャーシ部６０を鍵支持ユニット部６１、鍵ガイドユニット部６２、ハンマー支持ユニット部６３に分割し、この分割された鍵支持ユニット部６１、鍵ガイドユニット部６２、ハンマー支持ユニット部６３を１つの連結部材６４によって連結する構成であり、これ以外は実施形態１とほぼ同じ構成になっている。
【００６９】
この場合、複数のシャーシ部６０における鍵支持ユニット部６１は、図１４に示すように、鍵２の配列方向に沿って細長い帯び状に形成されており、この鍵支持ユニット部６１には、複数の第１弾性変形部３１が各鍵２に対応して設けられている。この複数の第１弾性変形部３１には、実施形態１と同様、鍵支持部１３がそれぞれ設けられており、この鍵支持部１３の下面には、第１位置決め突起部３５がそれぞれ設けられている。
【００７０】
また、複数のシャーシ部６０における鍵ガイドユニット部６２は、図１４に示すように、鍵２の配列方向に沿って細長い帯び状に形成されており、この鍵ガイドユニット部６２には、複数の第２弾性変形部３２が各鍵２に対応して設けられている。この複数の第２弾性変形部３２には、実施形態１と同様、鍵ガイド部７がそれぞれ設けられており、この鍵ガイド部７の下面には、第２位置決め突起部３７がそれぞれ設けられている。
【００７１】
同様に、複数のシャーシ部６０におけるハンマー支持ユニット部６３は、図１４に示すように、鍵２の配列方向に沿って細長い帯び状に形成されており、このハンマー支持ユニット部６３には、複数の第３弾性変形部３３が各鍵２に対応して設けられている。この複数の第３弾性変形部３３には、実施形態１と同様、ハンマー支持部９がそれぞれ設けられており、このハンマー支持部９の下面には、第３位置決め突起部３９がそれぞれ設けられている。
【００７２】
一方、連結部材６４は、図１５に示すように、鍵２の配列方向に沿って連続する幅の広い平板状に形成されている。この連結部材６０には、複数のボス部６４ａが鍵支持ユニット部６１、鍵ガイドユニット部６２、ハンマー支持ユニット部６３ごとに異なる高さで設けられている。この複数のボス部６４ａには、複数の鍵支持ユニット部６１に設けられた全て鍵支持部１３の第１位置決め突起部３５を位置決めするための複数の第１位置規制孔６５、複数の鍵ガイドユニット部６２に設けられた全て鍵ガイド部７の第２位置決め突起部３７を位置決めするための複数の第２位置規制孔６６、および複数のハンマー支持ユニット部６３に設けられた全てハンマー支持部９の第３位置決め突起部３９を位置決めするための複数の第３位置規制孔６７が設けられている。
【００７３】
これにより、連結部材６４は、複数のボス部６４ａの各第１位置規制孔６５に全ての鍵支持部１３の第１位置決め突起部３５が挿入することにより、全ての第１位置決め突起部３５を位置決めすると共に、複数のボス部６４ａの各第２位置規制孔６６に全ての鍵ガイド部７の第２位置決め突起部３７が挿入することにより、全ての第２位置決め突起部３７を位置決めし、且つ複数のボス部６４ａの各第３位置規制孔６７に全てのハンマー支持部９の第３位置決め突起部３９が挿入することにより、全ての第３位置決め突起部３９を位置決めし、この状態で複数のシャーシ部６０における鍵支持ユニット部６１、鍵ガイドユニット部６２、ハンマー支持ユニット部６３を連結するように構成されている。
【００７４】
次に、このような複数のシャーシ部６０を連結する場合について説明する。
この場合には、複数のシャーシ部６０を１つの連結部材６４上に配置し、この状態で連結部材６４上に設けられた複数のボス部６４ａにおける第１〜第３の各位置規制孔６５〜６７によって、複数の鍵支持ユニット部６１における全ての鍵支持部１３の第１位置決め突起部３５を位置決めすると共に、複数の鍵ガイドユニット部６２における全ての鍵ガイド部７の第２位置決め突起部３７を位置決めし、且つ複数のハンマー支持ユニット部６３における全てのハンマー支持部９の第３位置決め突起部３９を位置決めすることにより、複数のシャーシ部６０をそれぞれ連結する。
【００７５】
すなわち、連結部材６４に設けられた複数のボス部６４ａの全ての第１位置規制孔６５に、複数の鍵支持ユニット部６１に設けられた全ての鍵支持部１３の各第１位置決め突起部３５を挿入させると、実施形態１と同様、第１弾性変形部３１がそれぞれシャーシ部６０の面方向に弾性変形することにより、全ての第１位置規制孔６５に対する全ての第１位置決め突起部３５および全ての鍵支持部１３の各位置ずれがそれぞれ調整される。
【００７６】
このため、仮に鍵支持部１３の第１位置決め突起部３５と連結部材６４の第１位置規制孔６５との位置がずれていても、第１位置決め突起部３５を第１位置規制孔６５に挿入させることにより、第１位置規制孔６５に対する第１位置決め突起部３５および鍵支持部１３の各位置ずれが自動的に調整される。これにより、複数の鍵支持ユニット部６１が連結部材６４によって鍵２の配列方向に沿って連続した状態で連結される。
【００７７】
また、連結部材６４に設けられた複数のボス部６４ａの全ての第２位置規制孔６６に、複数の鍵ガイドユニット部６２に設けられた全ての鍵ガイド部７の各第２位置決め突起部３７を挿入させると、実施形態１と同様、第２弾性変形部３２がそれぞれシャーシ部６０の面方向に弾性変形することにより、全ての第２位置規制孔６６に対する全ての第２位置決め突起部３７および全てのガイド部７の各位置ずれがそれぞれ調整される。
【００７８】
このため、仮に鍵ガイド部７の第２位置決め突起部３７と連結部材６４の第２位置規制孔６６との位置がずれていても、第２位置決め突起部３７を第２位置規制孔６６に挿入させることにより、第２位置規制孔６６に対する第２位置決め突起部３７および鍵ガイド部７の各位置ずれが自動的に調整される。これにより、複数の鍵ガイドユニット部６２が連結部材６４によって鍵２の配列方向に沿って連続した状態で順次連結される。
【００７９】
同様に、連結部材６４に設けられた複数のボス部６４ａの全ての第３位置規制孔６７に、複数のハンマー支持ユニット部６３に設けられた全てのハンマー支持部９の各第３位置決め突起部３９を挿入させると、実施形態１と同様、第３弾性変形部３３がそれぞれシャーシ部６０の面方向に弾性変形することにより、全ての第３位置規制孔６７に対する全ての第３位置決め突起部３９および全てのハンマー支持部９の各位置ずれがそれぞれ調整される。
【００８０】
このため、仮にハンマー支持部９の第３位置決め突起部３９と連結部材６４の第３位置規制孔６７との位置がずれていても、第３位置決め突起部３９を第３位置規制孔６７に挿入させることにより、第３位置規制孔６７に対する第３位置決め突起部３９およびハンマー支持部９の各位置ずれが自動的に調整される。これにより、複数のハンマー支持ユニット部６３が連結部材６４によって鍵２の配列方向に沿って連続した状態で順次連結される。
【００８１】
このように、この鍵盤装置の鍵盤シャーシによれば、複数のシャーシ部６０を１つの連結部材６４によって順次連結する際に、複数のシャーシ部６０における鍵支持ユニット部６１に第１弾性変形部３１を介して設けられた鍵支持部１３の第１位置決め突起部３５、鍵ガイドユニット部６２に第２弾性変形部３２を介して設けられた鍵ガイド部７の第２位置決め突起部３７、およびハンマー支持ユニット部６３に第３弾性変形部３３を介して設けられたハンマー支持部９の第３位置決め突起部３９を、連結部材６４に設けられた複数のボス部６４ａの第１〜第３の各位置規制孔６５〜６７によって弾力的に変位させて位置調整することにより位置決めすることができる。
【００８２】
このため、仮に複数のシャーシ部６０ごとに鍵支持部１３、鍵ガイド部７、ハンマー支持部９、および第１〜第３の各位置決め突起部３５、３７、３９が位置ずれしていても、第１〜第３の各弾性変形部３１〜３３がそれぞれシャーシ部６０の面方向に弾性変形することによって、その位置ずれを自動的に調整することができる。これにより、複数のシャーシ部６０ごとにおける鍵２の位置ずれ、およびハンマー部材３の位置ずれを防ぐことができるので、複数のシャーシ部６０にそれぞれ複数の鍵２を全て均一に揃えて配列させることができると共に、複数のシャーシ部６０を簡単に且つ容易に連結することができる。
【００８３】
なお、前述した実施形態３では、複数のシャーシ部６０をそれぞれ鍵支持ユニット部６１、鍵ガイドユニット部６２、ハンマー支持ユニット部６３に分割した場合について述べたが、これに限らず、鍵支持ユニット部６１、鍵ガイドユニット部６２、ハンマー支持ユニット部６３を鍵盤シャーシの全長、つまり複数のシャーシ部６０の全てに亘って連続するよう構成しても良い。
【００８４】
また、前記実施形態１〜３およびその変形例では、押鍵操作に応じて鍵２にアクション荷重を付与するハンマー部材３を備えた鍵盤装置に適用した場合について述べたが、必ずしもハンマー部材３を備えた鍵盤装置である必要はなく、ハンマー部材を用いない簡易型の鍵盤装置にも適用することができる。
【符号の説明】
【００８５】
１  鍵盤シャーシ
２  鍵
３  ハンマー部材
７  鍵ガイド部
９  ハンマー支持部
１３  鍵支持部
３０、５０、６０  シャーシ部
３１〜３３  第１〜第３の各弾性変形部
３４、３６、３８  くり抜き部
３５  第１位置決め突起部
３７  第２位置決め突起部
３９  第３位置決め突起部
４０  連結部
４１〜４３、５４〜５６、６５〜６７  第１〜第３の各位置規制孔
５１〜５３  第１〜第３の各連結部材
５８、６４  連結部材
５８ａ、６４ａ  ボス部
６１  鍵支持ユニット部
６２  鍵ガイドユニット部
６３  ハンマー支持ユニット部
【図１】
2010197635.tif 000003
【図２】
2010197635.tif 000004
【図３】
2010197635.tif 000005
【図４】
2010197635.tif 000006
【図５】
2010197635.tif 000007
【図６】
2010197635.tif 000008
【図７】
2010197635.tif 000009
【図８】
2010197635.tif 000010
【図９】
2010197635.tif 000011
【図１０】
2010197635.tif 000012
【図１１】
2010197635.tif 000013
【図１２】
2010197635.tif 000014
【図１３】
2010197635.tif 000015
【図１４】
2010197635.tif 000016
【図１５】
2010197635.tif 000017